(57)【要約】ネットワークリソースを配分するためのシステムおよび方法が、本明細書に開示される。一実施形態では、本システムおよび方法は、第１の通信チャネルを介して、１つ以上の通信リソースのうちの少なくとも第１のものを使用して、第１の制御信号を伝送することであって、第１の制御信号は、第２の通信チャネルを介してデータを伝送するために使用され得る、１つ以上の通信リソースのいずれかを示す、ことと、第１の制御信号が、１つ以上の通信リソースのうちの少なくとも第１のものが第２の通信チャネルを介してデータを伝送するために使用され得ることを示すことに応答して、第２の通信チャネルを介して、１つ以上の通信リソースのうちの少なくとも第１のものの少なくとも一部を使用して、データを伝送することとを実施するように構成される。
2020523804.tif 000002
【特許請求の範囲】
【請求項１】
方法であって、
第１の通信チャネルを介して、１つ以上の通信リソースのうちの少なくとも第１のものを使用して、第１の制御信号を伝送することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものがまた、前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して、前記データを伝送することと
を含む、方法。
【請求項２】
前記１つ以上の通信リソースはそれぞれ、制御リソースセットを備える、請求項１に記載の方法。
【請求項３】
前記第１の通信チャネルは、物理ダウンリンク制御チャネルを備え、前記第２の通信チャネルは、物理ダウンリンク共有チャネルを備える、請求項１に記載の方法。
【請求項４】
前記第１の通信チャネルは、物理アップリンク制御チャネルを備え、前記第２の通信チャネルは、物理アップリンク共有チャネルを備える、請求項１に記載の方法。
【請求項５】
前記第１の通信チャネルを介して、前記１つ以上の通信リソースのうちの前記少なくとも第１のものまたは前記１つ以上の通信リソースのうちの第２のもののいずれかを使用して、前記第１の制御信号を伝送することと、
前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して、前記データを伝送することと
をさらに含む、請求項１に記載の方法。
【請求項６】
前記第１の通信チャネルを介して、前記１つ以上の通信リソースのうちの前記少なくとも第１のものまたは前記１つ以上の通信リソースのうちの第３のもののいずれかを使用して、前記第１の制御信号を伝送することと、
前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して、前記データを伝送することと
をさらに含む、請求項１に記載の方法。
【請求項７】
前記第１または第２の通信チャネルのいずれかを介して、前記１つ以上の通信リソースのうちの第４のものを使用して、第２の制御信号を伝送することであって、前記第２の制御信号は、前記第２の通信チャネルを介してデータを伝送するために使用され得る、前記１つ以上の通信リソースのうちの前記少なくとも第１のものの部分を示す、ことと、
前記第１および第２の制御信号に基づいて、前記第２の通信チャネルを介して、前記１つ以上の通信リソースのうちの前記少なくとも第１のものの前記示される部分を使用して、前記データを伝送することと
をさらに含む、請求項１に記載の方法。
【請求項８】
受信側ノードの個別の帯域幅、前記１つ以上の通信リソースのそれぞれの指定タイプ、および／または前記１つ以上の通信リソースのそれぞれの伝送モードに基づいて、前記第２の通信チャネルを介して前記データを伝送するために使用され得る、前記１つ以上の通信リソースのいずれかを判定することをさらに含む、請求項１に記載の方法。
【請求項９】
前記指定タイプは、前記１つ以上の通信リソースのそれぞれがＵＥ特有または共通であるかどうかを備え、前記伝送モードは、前記１つ以上の通信リソースのそれぞれが局所型または分散型であるかどうかを備える、請求項８に記載の方法。
【請求項１０】
方法であって、
第１の通信チャネルを介して、１つ以上の通信リソースのうちの少なくとも第１のものを使用して伝送される、第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を含む、方法。
【請求項１１】
前記１つ以上の通信リソースはそれぞれ、制御リソースセットを備える、請求項１０に記載の方法。
【請求項１２】
前記第１の通信チャネルは、物理ダウンリンク制御チャネルを備え、前記第２の通信チャネルは、物理ダウンリンク共有チャネルを備える、請求項１０に記載の方法。
【請求項１３】
前記第１の通信チャネルは、物理アップリンク制御チャネルを備え、前記第２の通信チャネルは、物理アップリンク共有チャネルを備える、請求項１０に記載の方法。
【請求項１４】
前記第１の通信チャネルを介して、前記１つ以上の通信リソースのうちの前記少なくとも第１のものまたは前記１つ以上の通信リソースのうちの第２のもののいずれかを使用して伝送される、前記第１の制御信号を受信することと、
前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して伝送される前記データを受信することと
をさらに含む、請求項１０に記載の方法。
【請求項１５】
前記第１の通信チャネルを介して、前記１つ以上の通信リソースのうちの前記少なくとも第１のものまたは前記１つ以上の通信リソースのうちの第３のもののいずれかを使用して伝送される前記第１の制御信号を受信することと、
前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して伝送される前記データを受信することと
をさらに含む、請求項１０に記載の方法。
【請求項１６】
通信ノードであって、
第１の通信チャネルを介して、１つ以上の通信リソースのうちの少なくとも第１のものを使用して、第１の制御信号を伝送するように構成された送信機を備え、
前記第１の制御信号は、第２の通信チャネルを介してデータを伝送するために使用され得る、前記１つ以上の通信リソースのいずれかを示し、
前記第１の制御信号が、前記１つ以上の通信リソースのうちの前記少なくとも第１のものが前記第２の通信チャネルを介してデータを伝送するために使用され得ることを示すことに応答して、前記送信機は、前記第２の通信チャネルを介して、前記１つ以上の通信リソースのうちの前記少なくとも第１のものの少なくとも一部を使用して、前記データを伝送するようにさらに構成されている、通信ノード。
【請求項１７】
前記１つ以上の通信リソースはそれぞれ、制御リソースセットを備える、請求項１６に記載の通信ノード。
【請求項１８】
前記第１の通信チャネルは、物理ダウンリンク制御チャネルを備え、前記第２の通信チャネルは、物理ダウンリンク共有チャネルを備える、請求項１６に記載の通信ノード。
【請求項１９】
前記第１の通信チャネルは、物理アップリンク制御チャネルを備え、前記第２の通信チャネルは、物理アップリンク共有チャネルを備える、請求項１６に記載の通信ノード。
【請求項２０】
前記送信機はさらに、前記第１の通信チャネルを介して、前記１つ以上の通信リソースのうちの前記少なくとも第１のものまたは前記１つ以上の通信リソースのうちの第２のもののいずれかを使用して、前記第１の制御信号を伝送するように構成され、前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記送信機は、前記第２の通信チャネルを介して、それぞれ、前記１つ以上の通信リソースのうちの前記少なくとも第１のものおよび前記第２のものの少なくとも一部を使用して、前記データを伝送するようにさらに構成されている、請求項１６に記載の通信ノード。
【請求項２１】
前記送信機はさらに、前記第１の通信チャネルを介して、前記１つ以上の通信リソースのうちの前記少なくとも第１のものまたは前記１つ以上の通信リソースのうちの第３のもののいずれかを使用して、前記第１の制御信号を伝送するように構成され、前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記送信機は、前記第２の通信チャネルを介して、前記１つ以上の通信リソースのうちの前記少なくとも第１のものおよび前記第３のもののうちの１つの少なくとも一部を使用して、前記データを伝送するようにさらに構成されている、請求項１６に記載の通信ノード。
【請求項２２】
前記送信機はさらに、前記第１または第２の通信チャネルのいずれかを介して、前記１つ以上の通信リソースのうちの第４のものを使用して、第２の制御信号を伝送するように構成され、前記第２の制御信号は、前記第２の通信チャネルを介してデータを伝送するために使用され得る、前記１つ以上の通信リソースのうちの前記少なくとも第１のものの部分を示し、前記送信機は、前記第１および第２の制御信号に基づいて、前記第２の通信チャネルを介して、前記１つ以上の通信リソースのうちの前記少なくとも第１のものの前記示される部分を使用して、前記データを伝送するようにさらに構成されている、請求項１６に記載の通信ノード。
【請求項２３】
通信ノードであって、
受信機を備え、前記受信機は、
第１の通信チャネルを介して、１つ以上の通信リソースのうちの少なくとも第１のものを使用して伝送される第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を行うように構成されている、通信ノード。
【請求項２４】
前記１つ以上の通信リソースはそれぞれ、制御リソースセットを備える、請求項２３に記載の通信ノード。
【請求項２５】
前記第１の通信チャネルは、物理ダウンリンク制御チャネルを備え、前記第２の通信チャネルは、物理ダウンリンク共有チャネルを備える、請求項２３に記載の通信ノード。
【請求項２６】
前記第１の通信チャネルは、物理アップリンク制御チャネルを備え、前記第２の通信チャネルは、物理アップリンク共有チャネルを備える、請求項２３に記載の通信ノード。
【請求項２７】
前記受信機はさらに、前記第１の通信チャネルを介して、前記１つ以上の通信リソースのうちの前記少なくとも第１のものまたは前記１つ以上の通信リソースのうちの第２のもののいずれかを使用して伝送される前記第１の制御信号を受信することと、前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して伝送される前記データを受信することとを行うように構成されている、請求項２３に記載の通信ノード。
【請求項２８】
前記受信機はさらに、前記第１の通信チャネルを介して、前記１つ以上の通信リソースのうちの前記少なくとも第１のものまたは前記１つ以上の通信リソースのうちの第３のもののいずれかを使用して伝送される前記第１の制御信号を受信することと、前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して伝送される前記データを受信することとを行うように構成されている、請求項２３に記載の通信ノード。
【発明の詳細な説明】
【技術分野】
【０００１】
（技術分野）
本開示は、概して、無線通信に関し、より具体的には、リソースブロックを配分するためのシステムおよび方法に関する。
【背景技術】
【０００２】
（背景）
無線通信では、基地局（ＢＳ）が、データをユーザ機器デバイス（ＵＥ）に伝送する準備ができると、スケジューリングプロセスが、典型的には、ＢＳが実際にデータをＵＥから受信する前に実施される。そのようなスケジューリングプロセスは、典型的には、１つ以上の物理チャネル（例えば、物理ダウンリンク制御チャネル（ＰＤＣＣＨ））を通してＵＥに伝送される、ある制御情報（例えば、ダウンリンク制御情報（ＤＣＩ））を提供する。特に、制御情報は、例えば、ダウンリンク（すなわち、ＢＳからＵＥに）スケジューリングコマンド、アップリンク（すなわち、ＵＥからＢＳに）スケジューリンググラント、アップリンク電力制御コマンド等、ＵＥがデータを受信および伝送するために使用し得る、種々の規定されたパラメータを備える。
【０００３】
ロングタームエボリューション（ＬＴＥ）ネットワークでは、旧型ＰＤＣＣＨは、１／２／４セル特有の基準信号（ＣＲＳ）アンテナポート上に伝送ダイバーシチを伴ってプリコーディングされ、旧型ＰＤＣＣＨが、サブフレーム内の制御領域の中のシステム帯域幅全体にわたって分散されるように、他のＰＤＣＣＨとクロスインターリーブされる。さらに、前述のＤＣＩを伝送するために使用される、旧型ＰＤＣＣＨ内で配分されるリソース（例えば、リソースブロック）は、データを伝送するために使用される他のチャネル（例えば、物理ダウンリンク共有チャネル（ＰＤＳＣＨ））内で使用されることができない。換言すると、旧型ＰＤＣＣＨ内のリソースブロックは、システム帯域幅全体を消費し、旧型ＰＤＣＣＨ内の残りのリソースブロックが、存在する場合でも、そのような残りのリソースブロックは、他のチャネル上でデータを伝送するために使用されることができない。
【０００４】
旧型ＰＤＣＣＨにおけるリソースブロック上のそのような柔軟性のない使用は、不利なことに、貴重なリソースブロックを無駄にし得る。したがって、旧型ＰＤＣＣＨにおいてリソースブロックを配分するための既存の技法は、全体的に満足の行くものではない。
【発明の概要】
【課題を解決するための手段】
【０００５】
（発明の要約）
本明細書に開示される例示的実施形態は、先行技術に提示される問題のうちの１つ以上に関連する問題を解法し、かつ添付の図面と関連して検討されるときに以下の詳細な説明を参照することによって容易に明白であろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。
【０００６】
一実施形態では、方法は、第１の通信チャネルを介して、１つ以上の通信リソースのうちの少なくとも第１のものを使用して、第１の制御信号を伝送することであって、第１の制御信号は、第２の通信チャネルを介してデータを伝送するために使用され得る、１つ以上の通信リソースのいずれかを示す、ことと、第１の制御信号が、１つ以上の通信リソースのうちの少なくとも第１のものが、第２の通信チャネルを介してデータを伝送するために使用され得ることを示すことに応答して、第２の通信チャネルを介して、１つ以上の通信リソースのうちの少なくとも第１のものの少なくとも一部を使用して、データを伝送することとを含む。
【０００７】
さらなる実施形態では、方法は、第１の通信チャネルを介して、１つ以上の通信リソースのうちの少なくとも第１のものを使用して伝送される、第１の制御信号を受信することであって、第１の制御信号は、第２の通信チャネルを介してデータを伝送するために使用され得る、１つ以上の通信リソースのいずれかを示す、ことと、第１の制御信号が、１つ以上の通信リソースのうちの少なくとも第１のものが第２の通信チャネルを介してデータを伝送するために使用され得ることを示すことに応答して、第２の通信チャネルを介して、１つ以上の通信リソースのうちの少なくとも第１のものの少なくとも一部を使用して伝送される、データを受信することとを含む。
【０００８】
別の実施形態では、通信ノードは、第１の通信チャネルを介して、１つ以上の通信リソースのうちの少なくとも第１のものを使用して、第１の制御信号を伝送するように構成される、送信機を含み、第１の制御信号は、第２の通信チャネルを介してデータを伝送するために使用され得る、１つ以上の通信リソースのいずれかを示し、第１の制御信号が、１つ以上の通信リソースのうちの少なくとも第１のものが第２の通信チャネルを介してデータを伝送するために使用され得ることを示すことに応答して、送信機は、第２の通信チャネルを介して、１つ以上の通信リソースのうちの少なくとも第１のものの少なくとも一部を使用して、データを伝送するようにさらに構成される。
【０００９】
さらに別の実施形態では、通信ノードは、受信機を含み、受信機は、第１の通信チャネルを介して、１つ以上の通信リソースのうちの少なくとも第１のものを使用して伝送される第１の制御信号を受信することであって、第１の制御信号は、第２の通信チャネルを介してデータを伝送するために使用され得る、１つ以上の通信リソースのいずれかを示す、ことと、第１の制御信号が、１つ以上の通信リソースのうちの少なくとも第１のものが第２の通信チャネルを介してデータを伝送するために使用され得ることを示すことに応答して、第２の通信チャネルを介して、１つ以上の通信リソースのうちの少なくとも第１のものの少なくとも一部を使用して伝送されるデータを受信することとを行うように構成される。
【００１０】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【００１１】
【図１】図１は、本開示のある実施形態による、本明細書に開示される技法が実装され得る、例示的セルラー通信ネットワークを図示する。
【００１２】
【図２】図２は、本開示のいくつかの実施形態による、例示的基地局およびユーザ機器デバイスのブロック図を図示する。
【００１３】
【図３】図３は、本開示のいくつかの実施形態による、ダウンリンク制御情報（ＤＣＩ）信号が、２つの制御リソースセット（ＣＯＲＥＳＥＴ）のうちの１つがデータを伝送するために使用され得ることを示す、シナリオを図示する。
【００１４】
【図４】図４は、本開示のいくつかの実施形態による、ダウンリンク制御情報（ＤＣＩ）信号が、２つの制御リソースセット（ＣＯＲＥＳＥＴ）の両方がデータを伝送するために使用され得ることを示す、シナリオを図示する。
【００１５】
【図５】図５は、本開示のいくつかの実施形態による、ダウンリンク制御情報（ＤＣＩ）信号が、２つの制御リソースセット（ＣＯＲＥＳＥＴ）のうちの１つがデータを伝送するために使用され得ることを示す、別のシナリオを図示する。
【００１６】
【図６】図６は、本開示のいくつかの実施形態による、第１のダウンリンク制御情報（ＤＣＩ）信号が、２つの制御リソースセット（ＣＯＲＥＳＥＴ）のうちの１つがデータを伝送するために使用され得ることを示し、第２のＤＣＩ信号が、データを伝送するために使用され得る、示されるＣＯＲＥＳＥＴ内のリソースブロックを示す、別のシナリオを図示する。
【００１７】
【図７】図７は、本開示のいくつかの実施形態による、ダウンリンク制御情報（ＤＣＩ）信号が、２つの制御リソースセット（ＣＯＲＥＳＥＴ）のうちの少なくとも１つがデータを伝送するために使用され得ることを示す、さらに別のシナリオを図示する。
【発明を実施するための形態】
【００１８】
（例示的実施形態の詳細な説明）
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００１９】
図１は、本開示の実施形態による、本明細書に開示される技法が実装され得る、例示的無線通信ネットワーク１００を図示する。例示的通信ネットワーク１００は、基地局１０２（以降、「ＢＳ１０２」）と、通信リンク１１０（例えば、無線通信チャネル）を介して相互に通信し得る、ユーザ機器デバイス（以降、「ＵＥ１０４」）と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０はそれぞれ、その配分された帯域幅で動作し、適正な電波カバレッジをその意図されるユーザに提供する、少なくとも１つの基地局を含んでもよい。例えば、基地局１０２は、配分されたチャネル伝送帯域幅で動作し、適正なカバレッジをＵＥ１０４に提供し得る。基地局１０２およびＵＥ１０４は、それぞれ、ダウンリンク電波フレーム１１８およびアップリンク電波フレーム１２４を介して、通信してもよい。各電波フレーム１１８／１２４は、サブフレーム１２０／１２６にさらに分割されてもよく、これは、データシンボル１２２／１２８を含んでもよい。本開示では、ＢＳ１０２およびＵＥ１０４は、概して、本明細書に開示される方法を実践し得る、「通信ノード」の非限定的実施例として本明細書に説明される。そのような通信ノードは、本発明の種々の実施形態によると、無線および／または有線通信することが可能であり得る。
【００２０】
図２は、本発明のいくつかの実施形態による、無線通信信号、例えば、ＯＦＤＭ／ＯＦＤＭＡ信号を伝送および受信する、例示的無線通信システム２００のブロック図を図示する。システム２００は、本明細書に詳細に説明される必要はない、既知または従来の動作特徴をサポートするように構成される、コンポーネントおよび要素を含んでもよい。一例示的実施形態では、システム２００は、上記に説明されるように、図１の無線通信環境１００等の無線通信環境内でデータシンボルを伝送および受信するために使用されることができる。
【００２１】
システム２００は、概して、基地局２０２（以降、「ＢＳ２０２」）と、ユーザ機器デバイス２０４（以降、「ＵＥ２０４」）とを含む。ＢＳ２０２は、ＢＳ（基地局）送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して、相互に結合および相互接続される。ＵＥ２０４は、ＵＥ（ユーザ機器）送受信機モジュール２３０と、ＵＥアンテナ２３２と、ＵＥメモリモジュール２３４と、ＵＥプロセッサモジュール２３６とを含み、各モジュールは、必要に応じて、データ通信バス２４０を介して、相互に結合および相互接続される。ＢＳ２０２は、任意の無線チャネルまたは本明細書に説明されるようなデータの伝送のために好適な当技術分野において公知の他の媒体であり得る、通信チャネル２５０を介して、ＵＥ２０４と通信する。
【００２２】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、または任意の実践的それらの組み合わせにおいて実装されてもよいことを理解するであろう。ハードウェア、ファームウェア、およびソフトウェアの本可換性および互換性を明確に図示するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システム上に課される設計制約に依存する。本明細書に説明される概念に精通する者は、そのような機能性を特定の用途毎に好適な様式で実装してもよいが、そのような実装決定は、本発明の範囲を限定するものとして解釈されるべきではない。
【００２３】
いくつかの実施形態によると、ＵＥ送受信機２３０は、本明細書では、それぞれ、アンテナ２３２に結合される、ＲＦ送信機および受信機回路を含む、「アップリンク」送受信機２３０と称され得る。デュプレックススイッチ（図示せず）が、代替として、時間デュプレックス方式において、アップリンク送信機または受信機をアップリンクアンテナに結合してもよい。同様に、いくつかの実施形態によると、ＢＳ送受信機２１０は、本明細書では、それぞれ、アンテナ２１２に結合される、ＲＦ送信機および受信機回路を含む、「ダウンリンク」送受信機２１０と称され得る。ダウンリンクデュプレックススイッチは、代替として、時間デュプレックス方式において、ダウンリンク送信機または受信機をダウンリンクアンテナ２１２に結合してもよい。２つの送受信機２１０および２３０の動作は、アップリンク受信機が、無線伝送リンク２５０にわたる伝送の受信のために、アップリンクアンテナ２３２に結合されるのと同時に、ダウンリンク送信機が、ダウンリンクアンテナ２１２に結合されるように、時間的に協調される。好ましくは、最小限の保護時間のみをデュプレックス方向の変化間に伴って、近接時間同期が存在する。
【００２４】
ＵＥ送受信機２３０および基地局送受信機２１０は、無線データ通信リンク２５０を介して通信し、特定の無線通信プロトコルおよび変調スキームをサポートし得る、好適に構成されたＲＦアンテナ配列２１２／２３２と協働するように構成される。いくつかの例示的実施形態では、ＵＥ送受信機２１０および基地局送受信機２１０は、ロングタームエボリューション（ＬＴＥ）および新しい５Ｇ規格ならびに同等物等の産業規格をサポートするように構成される。しかしながら、本発明は、必ずしも、特定の規格および関連付けられたプロトコルに用途が限定されないことを理解されたい。むしろ、ＵＥ送受信機２３０および基地局送受信機２１０は、将来的規格またはその変形例を含む、代替または付加的無線データ通信プロトコルをサポートするように構成されてもよい。
【００２５】
種々の実施形態によると、ＢＳ２０２は、例えば、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスにおいて具現化されてもよい。プロセッサモジュール２１４および２３６は、本明細書に説明される機能を実施するように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、または任意のそれらの組み合わせとともに実装または実現されてもよい。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとして実装されてもよい。
【００２６】
さらに、本明細書に開示される実施形態に関連して説明される方法またはアルゴリズムのステップは、直接、それぞれ、プロセッサモジュール２１４および２３６によって実行される、ハードウェア、ファームウェア、ソフトウェアモジュール、または任意の実践的それらの組み合わせにおいて具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、可撤性ディスク、ＣＤ−ＲＯＭ、または当技術分野において公知の任意の他の形態の記憶媒体として実現され得る。この点において、メモリモジュール２１６および２３４は、それぞれ、プロセッサモジュール２１０および２３０が、それぞれ、メモリモジュール２１６および２３４から情報を読み取り、そこに情報を書き込み得るように、プロセッサモジュール２１０および２３０に結合されてもよい。メモリモジュール２１６および２３４はまた、その個別のプロセッサモジュール２１０および２３０の中に統合されてもよい。いくつかの実施形態では、メモリモジュール２１６および２３４はそれぞれ、それぞれ、プロセッサモジュール２１０および２３０によって実行される命令の実行の間、一時的変数または他の中間情報を記憶するために、キャッシュメモリを含んでもよい。メモリモジュール２１６および２３４はまたそれぞれ、それぞれ、プロセッサモジュール２１０および２３０によって実行されるための命令を記憶するために、不揮発性メモリを含んでもよい。
【００２７】
ネットワーク通信モジュール２１８は、概して、基地局送受信機２１０と、基地局２０２と通信するように構成される、他のネットワークコンポーネントおよび通信ノードとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信機２１０が、従来のＥｔｈｅｒｎｅｔベースのコンピュータネットワークと通信し得るように、８０２．３Ｅｔｈｅｒｎｅｔインターフェースを提供する。このように、ネットワーク通信モジュール２１８は、コンピュータネットワーク（例えば、移動交換局（ＭＳＣ））への接続のための物理インターフェースを含んでもよい。
【００２８】
再び図１を参照すると、上記に議論されるように、ＢＳ１０２が、データをＵＥ１０４に伝送する準備ができると、スケジューリングプロセスが、典型的には、ＢＳが実際には、データを伝送し、ＵＥ１０４から受信する前に、実施される。そのようなスケジューリングプロセスの間、例えば、ＤＣＩ等の制御情報が、典型的には、１つ以上の物理チャネル、例えば、ＰＤＣＣＨを介して、ＢＳ１０２からＵＥ１０４に伝送される。
【００２９】
いくつかの実施形態では、ＢＳ１０２は、ＰＤＣＣＨを介して、１つ以上の制御リソースセット（以降、「ＣＯＲＥＳＥＴ」）を使用して、ＤＣＩを伝送してもよい。特に、そのようなＣＯＲＥＳＥＴは、リソースブロックのサブセットであり、その中で、ＵＥ１０４は、ＤＣＩ内に含有される情報を読み出すように、ＤＣＩを盲目的にデコードするように試みる。言い換えると、１つのＣＯＲＥＳＥＴは、ＰＤＣＣＨによって占有される個別のリソースブロックから選択されたリソースブロックのサブセットである。本開示のいくつかの実施形態によると、「リソースブロック」は、本明細書で使用されるように、個別の時間範囲（例えば、シンボル）および周波数範囲（例えば、サブキャリアチャネル）に跨る、リソースユニットと称される。したがって、各ＣＯＲＥＳＥＴは、本明細書に議論されるように、個別の時間および周波数範囲に跨り得る。いくつかの実施形態によると、ＢＳ１０２が、そのような１つ以上のＣＯＲＥＳＥＴを使用して、ＤＣＩを伝送すると、ＢＳ１０２は、ＤＣＩ内に、ＢＳ１０２がデータを伝送するために他のチャネル（例えば、ＰＤＳＣＨ）によって使用され得る１つ以上のＣＯＲＥＳＥＴのいずれかを示す、フィールドを含んでもよい。さらなる実施形態では、ＢＳ１０２は、データを伝送するために使用され得るＣＯＲＥＳＥＴ内に、データを伝送するために使用され得る個別のリソースブロックのいずれかを示す、別のＤＣＩを伝送してもよい。
【００３０】
図３は、ＤＣＩを搬送する信号３００（以降、「ＤＣＩ信号３００」）が、２つの例示的ＣＯＲＥＳＥＴ３０２および３０４のうちの１つがデータを伝送するために使用され得ることを示す、シナリオを図示する。いくつかの実施形態では、ＢＳは、ＰＤＣＣＨ上の２つのＣＯＲＥＳＥＴ３０２および３０４をＵＥに割り当ててもよい。ＣＯＲＥＳＥＴ３０２および３０４はそれぞれ、個別の時間−周波数エリアを横断して分散されてもよい（すなわち、個別のリソースブロックに跨る）。図３の図示される実施形態では、ＣＯＲＥＳＥＴ３０２は、時間ドメイン（すなわち、図３における「ｔ」）に沿って、２つのシンボル（例えば、ＯＦＤＭシンボル）を横断して延在し、周波数ドメイン（「すなわち、図３における「ｆ」）に沿って、周波数範囲３０３を横断して延在してもよく、ＣＯＲＥＳＥＴ３０４は、時間ドメインに沿って、１つのシンボル（例えば、ＯＦＤＭシンボル）を横断して延在し、周波数ドメインに沿って、周波数範囲３０５を横断して延在してもよい。当業者によって把握されるように、シンボルは、時間ドメインにおけるリソースブロックの単位であり得る。したがって、時間ドメインに沿ったそのようなシンボルは、例証を明確にするために示されないことに留意されたい。いくつかの実施形態では、ＣＯＲＥＳＥＴ３０２および３０４のそのような構成は、ＢＳおよびＵＥが位置する、ネットワークのプロトコル、例えば、無線リソース制御（ＲＲＣ）プロトコルによって事前判定されてもよい。
【００３１】
いくつかの実施形態では、ＢＳは、ＣＯＲＥＳＥＴ３０２を使用して、ＤＣＩ信号３００をＵＥに伝送してもよい。上記に述べられたように、ＤＣＩ信号３００は、例えば、個別のリソースブロック等の種々の情報を含んでもよく、これは、ＰＤＳＣＨによって使用されることになる個別の時間および周波数範囲を含む。図３では、ＰＤＳＣＨは、時間ドメインに沿って、１つのタイムスロットを横断して、周波数ドメインに沿って、周波数範囲３０８を横断して延在する。さらに、いくつかの実施形態では、ＤＣＩ信号３００は、上記に述べられたように事前判定され得る、ＣＯＲＥＳＥＴ３０２および３０４のリソースブロック構成と、リソースブロックの観点からのＰＤＳＣＨとの個別の「重複」関係とに基づいて、ＰＤＳＣＨによって使用され得るＣＯＲＥＳＥＴ３０２および３０４のいずれか（すなわち、ＰＤＳＣＨ上でデータを伝送するために使用され得るＣＯＲＥＳＥＴ３０２および３０４の個別のリソースブロックのいずれか）を示す、フィールドを含んでもよい。
【００３２】
例えば、図３では、ＣＯＲＥＳＥＴ３０２は、周波数範囲３１４を横断して、かつＣＯＲＥＳＥＴ３０２の同一持続時間（現在の実施例では、２つのシンボル）を横断して延在する、リソースブロックだけ、ＰＤＳＣＨに重複し、ＣＯＲＥＳＥＴ３０４は、周波数範囲３１０を横断し、かつＣＯＲＥＳＥＴ３０４の同一持続時間（現在の実施例では、１つのシンボル）を横断して延在する、リソースブロックだけ、ＰＤＳＣＨに重複する。ＣＯＲＥＳＥＴ３０２および３０４のそのようなリソースブロック構成および個別の使用に基づいて、ＢＳは、ＣＯＲＥＳＥＴ３０２のみが、ＰＤＳＣＨによって使用され得ることを判定してもよい。いくつかの実施形態では、ＤＣＩ信号３００内のフィールドは、ＣＯＲＥＳＥＴ３０２およびＰＤＳＣＨによって重複されるリソースブロックが、ＰＤＳＣＨ上でデータを伝送するためにＢＳによって使用されることができ、ＣＯＲＥＳＥＴ３０４およびＰＤＳＣＨによって重複されるリソースブロックが、ＰＤＳＣＨ上でデータを伝送するためにＢＳによって使用されることができないことを示し得る。
【００３３】
いくつかの実施形態では、ＤＣＩ内のそのようなフィールドは、例えば、ビットマップ等の種々の技法によって実装されてもよい。図３の実施例では、２ビットの長さを伴うビットマップが、使用されてもよく、これは、いくつかの実施形態によると、ＣＯＲＥＳＥＴの数に基づいて判定される。ＣＯＲＥＳＥＴ３０２のみが、ＰＤＳＣＨによって使用されるために選定されるとき、ビットマップは、例えば、値「０１」を示してもよく、ＣＯＲＥＳＥＴ３０４のみが、ＰＤＳＣＨによって使用されるために選定されるとき、ビットマップは、値「１０」を示してもよい。より具体的には、ビットマップが、０１を示すとき、ＣＯＲＥＳＥＴ３０２およびＰＤＳＣＨによって重複されるリソースブロックは、ＰＤＳＣＨ上でデータを伝送するためにＢＳによって使用されることができ、ビットマップが、１０を示すとき、ＣＯＲＥＳＥＴ３０４およびＰＤＳＣＨによって重複されるリソースブロックは、ＰＤＳＣＨ上でデータを伝送するためにＢＳによって使用され得る。
【００３４】
図４は、ＤＣＩを搬送する信号４００（以降、「ＤＣＩ信号４００」）が、２つの例示的ＣＯＲＥＳＥＴ４０２および４０４の両方がデータを伝送するために使用され得ることを示す、シナリオを図示する。いくつかの実施形態では、ＢＳは、ＰＤＣＣＨ上の２つのＣＯＲＥＳＥＴ４０２および４０４をＵＥに割り当ててもよい。ＣＯＲＥＳＥＴ４０２および４０４はそれぞれ、個別の時間−周波数エリアを横断して分散されてもよい（すなわち、個別のリソースブロックに跨る）。図４の図示される実施形態では、ＣＯＲＥＳＥＴ４０２は、時間ドメイン（すなわち、図４における「ｔ」）に沿って、２つのシンボル（例えば、ＯＦＤＭシンボル）を横断して延在し、周波数ドメイン（「すなわち、図４における「ｆ」）に沿って、周波数範囲４０３を横断して延在してもよく、ＣＯＲＥＳＥＴ４０４はまた、時間ドメインに沿って、２つのシンボル（例えば、ＯＦＤＭシンボル）を横断して延在し、周波数ドメインに沿って、個別の周波数範囲４０５を横断して延在してもよい。
【００３５】
図４では、ＤＣＩ信号４００によって割り当てられる、ＰＤＳＣＨは、時間ドメインに沿って、第１のシンボルを除き、１つのタイムスロットを横断して、周波数ドメインに沿って、周波数範囲４０８を横断して延在する。同様に、いくつかの実施形態では、ＤＣＩ信号４００は、上記に述べられたように事前判定され得る、ＣＯＲＥＳＥＴ４０２および４０４のリソースブロック構成と、リソースブロックの観点からのＰＤＳＣＨとの個別の「重複」関係とに基づいて、ＰＤＳＣＨによって使用され得るＣＯＲＥＳＥＴ４０２および４０４のいずれかを示す、フィールドを含んでもよい。
【００３６】
例えば、図４では、ＣＯＲＥＳＥＴ４０２は、周波数範囲４１４を横断して、ある持続時間（例えば、現在の実施例では、１つのシンボル）を横断して延在する、リソースブロックだけ、ＰＤＳＣＨに重複し、ＣＯＲＥＳＥＴ４０４は、周波数範囲４１０を横断して、同一持続時間（例えば、現在の実施例では、１つのシンボル）を横断して延在する、リソースブロックだけ、ＰＤＳＣＨに重複する。ＣＯＲＥＳＥＴ４０２および４０４のそのようなリソースブロック構成および個別の使用に基づいて、ＢＳは、ＣＯＲＥＳＥＴ４０２および４０４の両方が、ＰＤＳＣＨによって使用され得ることを判定してもよい。言い換えると、ＤＣＩ信号４００のフィールドは、周波数範囲４１０および１つのシンボルを横断するリソースブロックを含む、ＣＯＲＥＳＥＴ４０２およびＰＤＳＣＨによって重複されるリソースブロックが、ＰＤＳＣＨ上でデータを伝送するためにＢＳによって使用されることができ、加えて、周波数範囲４１４および１つのシンボルを横断するリソースブロックを含む、ＣＯＲＥＳＥＴ４０４およびＰＤＳＣＨによって重複されるリソースブロックが、ＰＤＳＣＨ上でデータを伝送するためにＢＳによって使用され得ることを示し得る。同様に、ＤＣＩ信号４００のフィールドは、図３に関して説明されるビットマップによって実装されることができる。図４の実施例では、ビットマップは、「１１」として存在し得る。
【００３７】
図５は、ＤＣＩを搬送する信号５００（以降、「ＤＣＩ信号５００」）が、２つの例示的ＣＯＲＥＳＥＴ５０２および５０４のうちの１つがデータを伝送するために使用され得ることを示す、シナリオを図示する。いくつかの実施形態では、ＢＳは、ＰＤＣＣＨ上の２つのＣＯＲＥＳＥＴ５０２および５０４をＵＥに割り当ててもよい。ＣＯＲＥＳＥＴ５０２および５０４はそれぞれ、個別の時間−周波数エリアを横断して分散され、個別のリソースブロックに跨ってもよい。図５の図示される実施形態では、ＣＯＲＥＳＥＴ５０２は、時間ドメイン（すなわち、図５における「ｔ」）に沿って、２つのシンボル（例えば、ＯＦＤＭシンボル）を横断して延在し、周波数ドメイン（「すなわち、図５における「ｆ」）に沿って、周波数範囲５０３を横断して延在してもよく、ＣＯＲＥＳＥＴ５０４は、時間ドメインに沿って、１つのシンボル（例えば、１つのＯＦＤＭシンボル）を横断して延在し、周波数ドメインに沿って、個別の周波数範囲５０５を横断して延在してもよい。
【００３８】
図５では、ＤＣＩ信号５００によって割り当てられる、ＰＤＳＣＨは、時間ドメインに沿って、第１のシンボルを除き、１つのタイムスロットを横断し、周波数ドメインに沿って、周波数範囲５０８を横断して延在する。同様に、いくつかの実施形態では、ＤＣＩ信号５００は、上記に述べられたように事前判定され得る、ＣＯＲＥＳＥＴ５０２および５０４のリソースブロック構成と、リソースブロックの観点からのＰＤＳＣＨとの個別の「重複」関係とに基づいて、ＰＤＳＣＨによって使用され得るＣＯＲＥＳＥＴ５０２および５０４のいずれかを示す、フィールドを含んでもよい。
【００３９】
例えば、図５では、ＣＯＲＥＳＥＴ５０２は、周波数範囲５１４を横断して、ある持続時間（例えば、現在の実施例では、１つのシンボル）を横断して延在する、リソースブロックだけ、ＰＤＳＣＨに重複し、ＣＯＲＥＳＥＴ５０４は、周波数範囲５１０を横断して延在し、持続時間を伴わない（すなわち、ドメインに沿って、重複時間がない）、リソースブロックだけ、ＰＤＳＣＨに重複する。ＣＯＲＥＳＥＴ５０２および５０４のそのようなリソースブロック構成および個別の使用に基づいて、ＢＳは、ＣＯＲＥＳＥＴ５０２のみが、ＰＤＳＣＨによって使用され得ることを判定してもよい。言い換えると、ＤＣＩ信号５００のフィールドは、ＣＯＲＥＳＥＴ５０２およびＰＤＳＣＨによって重複されるリソースブロックが、ＰＤＳＣＨ上でデータを伝送するためにＢＳによって使用され得ることを示し得る。同様に、ＤＣＩ信号５００のフィールドは、図３および４に関して説明されるビットマップによって実装されることができる。図５の実施例では、ビットマップは、いくつかの実施形態によると、値「０１」を示してもよく、これは、ＣＯＲＥＳＥＴ５０２およびＰＤＳＣＨによって重複されるリソースブロックが、ＰＤＳＣＨ上でデータを伝送するためにＢＳによって使用され得ることを示すことができる。いくつかの代替実施形態では、ＣＯＲＥＳＥＴ５０２および５０４のリソースブロック構成は、事前に定義されるため、ＢＳは、ＣＯＲＥＳＥＴ５０４とＰＤＳＣＨとの間に重複が存在しないことを把握し得る。故に、ＤＣＩ信号５００のフィールドは、いくつかの実施形態によると、ＣＯＲＥＳＥＴ５０２がＰＤＳＣＨ上でデータを伝送するためにＢＳによって使用され得ることを示すための１ビットを含む、異なるビットマップによって実装されてもよい。
【００４０】
図６は、第１のＤＣＩを搬送する第１の信号６００（以降、「ＤＣＩ信号６００」）が、２つの例示的ＣＯＲＥＳＥＴ６０２および６０４のうちの１つがデータを伝送するために使用され得ることを示し、第２のＤＣＩを搬送する第２の信号６０６（以降、「ＤＣＩ信号６０６」）が、データを伝送するためにＰＤＳＣＨによって使用され得るＰＤＳＣＨと重複するＣＯＲＥＳＥＴ６０２内のリソースブロックをさらに示す、シナリオを図示する。図６におけるＣＯＲＥＳＥＴ６０２および６０４ならびにＰＤＳＣＨのリソースブロック構成は、図５のＣＯＲＥＳＥＴ５０２および５０４に実質的に類似するため、時間および周波数ドメインにおいてＰＤＳＣＨと重複する、ＣＯＲＥＳＥＴ６０２および６０４のリソースブロックの議論は、ここでは繰り返されない。図５のＤＣＩ信号５００に実質的に類似し得る、第１のＤＣＩ信号６００は、その個別のフィールドを使用して、ＣＯＲＥＳＥＴ６０２のみがＰＤＳＣＨによって使用され得ることを示す。いくつかの実施形態では、ＢＳは、第２のＤＣＩ信号６０６を送信し、ＰＤＳＣＨによって使用され得るＰＤＳＣＨと重複するＣＯＲＥＳＥＴ６０２内のリソースブロックをさらに示す。例えば、図６に示されるように、ＰＤＳＣＨおよびＣＯＲＥＳＥＴ６０２によって重複されるリソースブロックは、それぞれ、個別の周波数範囲を横断して延在する、３つのリソースブロック６０８、６１０、および６１２を含む。故に、第２のＤＣＩ信号６０２は、別のフィールドを使用して、ＰＤＳＣＨによって使用され得る、リソースブロック６０８、６１０、および６１２のいずれかを示してもよい。いくつかの実施形態では、そのような第２のＤＣＩ信号６０２は、図６に示されるようにＰＤＣＣＨまたはＰＤＳＣＨ（図示せず）のいずれかを介して送信されることができる。
【００４１】
図７は、ＤＣＩを搬送する信号７００（以降、「ＤＣＩ信号７００」）が、２つの例示的ＣＯＲＥＳＥＴ７０２および７０４のうちの少なくとも１つがデータを伝送するために使用され得ることを示す、シナリオを図示する。いくつかの実施形態では、ＢＳは、ＰＤＣＣＨ上の２つのＣＯＲＥＳＥＴ７０２および７０４をＵＥに割り当ててもよい。ＣＯＲＥＳＥＴ７０２および７０４はそれぞれ、個別の時間−周波数エリアを横断して分散されてもよい（すなわち、個別のリソースブロックに跨る）。図７の図示される実施形態では、ＣＯＲＥＳＥＴ７０２は、時間ドメイン（すなわち、図７における「ｔ」）に沿って、２つのシンボル（例えば、ＯＦＤＭシンボル）を横断して延在して、周波数ドメイン（「すなわち、図７における「ｆ」）に沿って、周波数範囲７０３を横断して延在してもよく、ＣＯＲＥＳＥＴ７０４は、時間ドメインに沿って、１つのシンボル（例えば、ＯＦＤＭシンボル）を横断して延在し、周波数ドメインに沿って、周波数範囲７０５を横断して延在してもよい。いくつかの実施形態では、ＣＯＲＥＳＥＴ７０２および７０４のそのような構成は、ＢＳおよびＵＥが位置する、ネットワークのプロトコル、例えば、無線リソース制御（ＲＲＣ）プロトコルによって事前判定されてもよい。
【００４２】
いくつかの実施形態では、ＢＳは、ＣＯＲＥＳＥＴ７０２を使用して、ＤＣＩ信号７００をＵＥに伝送してもよい。上記に述べられたように、ＤＣＩ信号７００は、例えば、個別のリソースブロック等の種々の情報を含んでもよく、これは、ＰＤＳＣＨによって使用されることになる個別の時間および周波数範囲を含む。図７では、ＰＤＳＣＨは、時間ドメインに沿って、第４のシンボルから開始し、（すなわち、ＰＤＳＣＨは、時間ドメインに沿って、１つのシンボルだけＣＯＲＥＳＥＴ７０２から離間される）、周波数ドメインに沿って、周波数範囲７０８を横断して延在する。さらに、いくつかの実施形態では、ＤＣＩ信号７００は、上記に述べられたように事前判定され得る、ＣＯＲＥＳＥＴ７０２および７０４のリソースブロック構成と、周波数ドメインに沿ったリソースブロックの観点からのＰＤＳＣＨとの個別の「重複」関係とに基づいて、ＰＤＳＣＨによって使用され得るＣＯＲＥＳＥＴ７０２および７０４のいずれか（すなわち、ＣＯＲＥＳＥＴ７０２および７０４がＰＤＳＣＨ上でデータを伝送するために使用され得る、個別のリソースブロックのいずれか）を示す、フィールドを含んでもよい。
【００４３】
例えば、図７では、ＣＯＲＥＳＥＴ７０２または７０４のいずれも、ＰＤＳＣＨに重複しないが、ＣＯＲＥＳＥＴ７０２は、ＰＤＳＣＨの周波数範囲７０８の中に、周波数ドメインに沿って、周波数範囲７１４だけ、時間ドメインに沿って、２つのシンボルを横断して延在する、リソースブロックの一部（以降、サブＣＯＲＥＳＥＴ７０２’）を含み、ＣＯＲＥＳＥＴ７０４は、ＰＤＳＣＨの周波数範囲７０８の中に、周波数ドメインに沿って、周波数範囲７１０だけ、時間ドメインに沿って、１つのシンボルを横断して延在する、リソースブロックの一部（以降、サブＣＯＲＥＳＥＴ７０４’）を含む。ＣＯＲＥＳＥＴ７０２および７０４のそのようなリソースブロック構成および個別の使用に基づいて、ＢＳは、そのようなサブＣＯＲＥＳＥＴ７０２’および７０４’のうちの少なくとも１つが、ＰＤＳＣＨによって使用され得ることを判定してもよい。いくつかの実施形態では、ＤＣＩ信号７００内のフィールドは、サブＣＯＲＥＳＥＴ７０２’および／またはサブＣＯＲＥＳＥＴ７０４’によって占有される個別のリソースブロックが、ＰＤＳＣＨ上でデータを伝送するためにＢＳによって使用され得ることを示し得る。
【００４４】
いくつかの実施形態では、ＤＣＩ内のそのようなフィールドは、例えば、ビットマップ等の種々の技法によって実装されてもよい。図７の実施例では、いくつかの実施形態によると、２ビットの長さ伴うビットマップが、使用されてもよく、これは、ＣＯＲＥＳＥＴの数に基づいて判定される。ＣＯＲＥＳＥＴ７０２のみが、ＰＤＳＣＨによって使用されるために設定されると、ＤＣＩ信号７００のビットマップは、例えば、値「０１」を示してもよく、ＣＯＲＥＳＥＴ７０４のみが、ＰＤＳＣＨによって使用されるために設定されると、ＤＣＩ信号７００のビットマップは、値「１０」を示してもよい。より具体的には、ビットマップが、０１を示すとき、ＰＤＳＣＨは、時間ドメインに沿って、サブＣＯＲＥＳＥＴ７０２’の個別のリソースブロックを判定するように、順方向または逆方向に延在し、ＰＤＳＣＨの少なくとも一部をＣＯＲＥＳＥＴ７０２に重複させてもよく、ビットマップが、１０を示すとき、ＰＤＳＣＨは、時間ドメインに沿って、サブＣＯＲＥＳＥＴ７０４’の個別のリソースブロックを判定するように、順方向または逆方向に延在し、ＰＤＳＣＨの少なくとも一部をＣＯＲＥＳＥＴ７０４に重複させてもよい。
【００４５】
いくつかの実施形態では、ＢＳは、図３−６に図示され、上記に議論されるように、個別のＰＤＳＣＨによって使用され得る、ＣＯＲＥＳＥＴのセットをＵＥに割り当ててもよい。さらに、ＣＯＲＥＳＥＴのそれぞれの個別のリソースブロックが、ＵＥの種々の特性および／またはＣＯＲＥＳＥＴの個別の特性に基づいて判定されてもよい。ある実施形態では、ＢＳは、約１００ＭＨｚのシステム帯域幅を有する一方、ＵＥは、約２０ＭＨｚの比較的により小さい帯域幅を有する。したがって、ＢＳは、合計「Ｍ」数のＣＯＲＥＳＥＴを１００ＭＨｚにわたって割り当て、合計「Ｎ」数のＣＯＲＥＳＥＴをＵＥに割り当ててもよく、Ｎ＜Ｍであり、それらのＮのＣＯＲＥＳＥＴは、ＵＥの２０ＭＨｚ帯域幅の個別の周波数範囲内に位置する。
【００４６】
別の実施形態では、ＢＳは、ＣＯＲＥＳＥＴの指定タイプ、例えば、ＣＯＲＥＳＥＴのセットのそれぞれが、ＵＥ特有のＣＯＲＥＳＥＴまたは共通ＣＯＲＥＳＥＴであるかどうかに基づいて、ＣＯＲＥＳＥＴのセットを割り当ててもよい。例えば、合計６つのＣＯＲＥＳＥＴ（例えば、第１、第２、第３、第４、第５、および第６）が、データを個別のＰＤＳＣＨ上で伝送するためにＵＥによって使用されるために利用可能であり、そのうち２つ（例えば、第１および第２）は、共通ＣＯＲＥＳＥＴであり、そのうち４つ（例えば、第３、第４、第５、および第６）は、ＵＥ特有のＣＯＲＥＳＥＴである。ある場合には、事前に定義されたプロトコル（例えば、ＲＲＣ）に基づいて、ＵＥ特有のＣＯＲＥＳＥＴ（第３、第４、第５、および第６）のみが、ＵＥによって使用されることができる。ＢＳは、４ビットのフィールドを含有するＤＣＩ信号を送信し、第３、第４、第５、および第６のＣＯＲＥＳＥＴのみが、個別のＰＤＳＣＨ上でデータを伝送するためにＵＥによって使用され得ることを示してもよい。
【００４７】
さらに別の実施形態では、ＢＳは、ＣＯＲＥＳＥＴの伝送モード、例えば、ＣＯＲＥＳＥＴのセットのそれぞれが局所型ＣＯＲＥＳＥＴまたは分散型ＣＯＲＥＳＥＴであるかどうかに基づいて、ＣＯＲＥＳＥＴのセットを割り当ててもよい。例えば、合計７つのＣＯＲＥＳＥＴ（例えば、第１、第２、第３、第４、第５、第６、および第７）が、個別のＰＤＳＣＨ上でデータを伝送するためにＵＥによって使用されるために利用可能であり、そのうち２つ（例えば、第１および第２）が、局所型ＣＯＲＥＳＥＴであり、そのうち５つ（例えば、第３、第４、第５、第６、および第７）が、分散型ＣＯＲＥＳＥＴである。ある場合には、事前に定義されたプロトコル（例えば、ＲＲＣ）に基づいて、局所型ＣＯＲＥＳＥＴ（第１および第２）のみが、ＵＥによって使用されることができる。ＢＳは、２ビットのフィールドを含有するＤＣＩ信号を送信し、第１および第２のＣＯＲＥＳＥＴのみが、個別のＰＤＳＣＨ上でデータを伝送するためにＵＥによって使用され得ることを示してもよい。
【００４８】
いくつかの実施形態では、ＢＳは、個別のＰＤＳＣＨによって使用され得る、個別のセットのＣＯＲＥＳＥＴを複数のＵＥのそれぞれに割り当ててもよい。例えば、ＢＳは、合計６つのＣＯＲＥＳＥＴを判定してもよく、そのうち３つ（例えば、第１、第２、および第３）は、第１のＵＥに割り当てられ、ＰＤＣＣＨを伝送する、またはＰＤＣＣＨを盲目的にデコードし、そのうち３つ（例えば、第４、第５、および第６）は、第２のＵＥに割り当てられ、ＰＤＣＣＨを伝送する、またはＰＤＣＣＨを盲目的にデコードする。ある実施形態では、そのような６つのＣＯＲＥＳＥＴの個別の構成は、第１および第２のＵＥの両方がこれらの６つのＣＯＲＥＳＥＴの個別のリソースブロック構成を把握するように、上記に述べられたように、ＲＲＣを通して事前判定されてもよい。したがって、ＢＳは、３ビットのフィールドを含有するＤＣＩ信号を使用して、３つの伝送ＰＤＣＣＨのＣＯＲＥＳＥＴが個別のＰＤＳＣＨ上でデータを伝送するために使用され得るかどうかを示してもよい。第１のＵＥに関して、ＤＣＩ信号は、第１、第２、および第３のＣＯＲＥＳＥＴを示し、第２のＵＥに関して、ＤＣＩ信号は、第４、第５、および第６のＣＯＲＥＳＥＴを示す。代替実施形態では、ＢＳは、ＤＣＩ信号（上記のＤＣＩ信号と異なる）を使用して、全ての第１、第２、第３、第４、第５、および第６のＣＯＲＥＳＥＴが、個別のＰＤＳＣＨ上でデータを伝送するために第１のＵＥによって使用され得、全ての第１、第２、第３、第４、第５、および第６のＣＯＲＥＳＥＴが、個別のＰＤＳＣＨ上でデータを伝送するために第２のＵＥによって使用され得ることを示してもよく、この場合、ＤＣＩ信号は、６ビット長である。ＤＣＩ信号は、ＵＥ特有のＰＤＣＣＨ、または共通ＰＤＣＣＨ、またはグループ共通ＰＤＣＣＨ内に含まれることができる。
【００４９】
上記で議論されるシステムおよび方法は、ＰＤＳＣＨ（すなわち、ダウンリンク通信）上でデータを伝送するために使用されるために、ＰＤＣＣＨ上で送信される１つ以上のＣＯＲＥＳＥＴを配分することを対象とするが、開示されるシステムおよび方法はまた、本開示の範囲内に留まったまま、アップリンク通信のために使用されることができることに留意されたい。例えば、ＵＥは、物理アップリンク共有チャネル（ＰＵＳＣＨ）上でデータをＢＳに伝送するために使用され得る、物理アップリンク制御チャネル（ＰＵＣＣＨ）上で送信される、個別のＣＯＲＥＳＥＴのいずれかを（または異なる条件において）割り当ててもよい。
【００５０】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００５１】
また、「第１」、「第２」等の指定を使用した本明細書における要素の任意の参照は、概して、それらの要素量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得る、または第１の要素がある様式において、第２の要素に先行しなければならないことを意味するものではない。
【００５２】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、もしくは任意のそれらの組み合わせによって表されることができる。
【００５３】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、もしくはこれらの技法の任意の組み合わせによって実装されることができることを理解するであろう。ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。
【００５４】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくは任意のそれらの組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００５５】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは所望のプログラムコードを命令またはデータ構造の形態で記憶するために使用され得、かつコンピュータによってアクセスされ得る、任意の他の媒体を含むことができる。
【００５６】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００５７】
加えて、メモリまたは他の記憶装置ならびに通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造もしくは編成を示すのではなく、説明される機能性を提供するための好適な手段の参照にすぎない。
【００５８】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において制限されるように、本明細書に開示される新規特徴および原理と一致する最広範囲と見なされる。
【図１】
2020523804.tif 000003
【図２】
2020523804.tif 000004
【図３】
2020523804.tif 000005
【図４】
2020523804.tif 000006
【図５】
2020523804.tif 000007
【図６】
2020523804.tif 000008
【図７】
2020523804.tif 000009
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
方法であって、
第１の通信チャネルを介して、１つ以上の通信リソースのうちの少なくとも第１のものを使用して、第１の制御信号を伝送することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものがまた、前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して、前記データを伝送することと
を含む、方法。
【請求項２】
前記１つ以上の通信リソースはそれぞれ、制御リソースセットを備える、請求項１に記載の方法。
【請求項３】
前記第１の通信チャネルは、物理ダウンリンク制御チャネルを備え、前記第２の通信チャネルは、物理ダウンリンク共有チャネルを備える、請求項１に記載の方法。
【請求項４】
前記第１の通信チャネルは、物理アップリンク制御チャネルを備え、前記第２の通信チャネルは、物理アップリンク共有チャネルを備える、請求項１に記載の方法。
【請求項５】
前記第１の制御信号は、前記１つ以上の通信リソースのうちの第１のものおよび第２のもののうちの少なくとも１つが、前記第２の通信チャネルを介してデータを伝送するために使用され得ることを示し、
前記方法は、前記第１の制御信号が、前記１つ以上の通信リソースのうちの前記第１のものおよび前記第２のもののうちの少なくとも１つが前記第２の通信チャネルを介してデータを伝送するために使用され得ることを示すことに応答して、前記第２の通信チャネルを介して、それぞれ、前記１つ以上の通信リソースのうちの前記第１のものおよび前記第２のもののうちの少なくとも１つの少なくとも一部を使用して、前記データを伝送することをさらに含む、請求項１に記載の方法。
【請求項６】
前記第１の制御信号は、
前記１つ以上の通信リソースのうちの前記第１のものが、前記第２の通信チャネルを介してデータを伝送するために使用され得るかを示すための第１のビットと、
前記１つ以上の通信リソースのうちの前記第２のものが、前記第２の通信チャネルを介してデータを伝送するために使用され得るかを示すための第２のビットと
を備える、請求項１に記載の方法。
【請求項７】
前記第１または第２の通信チャネルのいずれかを介して、前記１つ以上の通信リソースのうちの第２のものを使用して、第２の制御信号を伝送することであって、前記第２の制御信号は、前記第２の通信チャネルを介してデータを伝送するために使用され得る、前記１つ以上の通信リソースのうちの前記少なくとも第１のものの部分を示す、ことと、
前記第１および第２の制御信号に基づいて、前記第２の通信チャネルを介して、前記１つ以上の通信リソースのうちの前記少なくとも第１のものの前記示される部分を使用して、前記データを伝送することと
をさらに含む、請求項１に記載の方法。
【請求項８】
受信側ノードの個別の帯域幅に基づいて、前記第２の通信チャネルを介して前記データを伝送するために使用され得る、前記１つ以上の通信リソースのいずれかを判定することをさらに含む、請求項１に記載の方法。
【請求項９】
前記指定タイプは、前記１つ以上の通信リソースのそれぞれがＵＥ特有または共通であるかどうかを備え、前記伝送モードは、前記１つ以上の通信リソースのそれぞれが局所型または分散型であるかどうかを備える、請求項８に記載の方法。
【請求項１０】
方法であって、
第１の通信チャネルを介して、１つ以上の通信リソースのうちの少なくとも第１のものを使用して伝送される、第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を含む、方法。
【請求項１１】
前記１つ以上の通信リソースはそれぞれ、制御リソースセットを備える、請求項１０に記載の方法。
【請求項１２】
前記第１の通信チャネルは、物理ダウンリンク制御チャネルを備え、前記第２の通信チャネルは、物理ダウンリンク共有チャネルを備える、請求項１０に記載の方法。
【請求項１３】
前記第１の通信チャネルは、物理アップリンク制御チャネルを備え、前記第２の通信チャネルは、物理アップリンク共有チャネルを備える、請求項１０に記載の方法。
【請求項１４】
前記第１の制御信号は、前記１つ以上の通信リソースのうちの第１のものおよび第２のもののうちの少なくとも１つが、前記第２の通信チャネルを介してデータを伝送するために使用され得ることを示し、
前記方法は、前記第１の制御信号が、前記１つ以上の通信リソースのうちの前記第１のものおよび前記第２のもののうちの少なくとも１つが前記第２の通信チャネルを介してデータを伝送するために使用され得ることを示すことに応答して、前記第２の通信チャネルを介して、それぞれ、前記１つ以上の通信リソースのうちの前記第１のものおよび前記第２のもののうちの少なくとも１つの少なくとも一部を使用して伝送される前記データを受信することをさらに含む、請求項１０に記載の方法。
【請求項１５】
前記第１の制御信号は、
前記１つ以上の通信リソースのうちの前記第１のものが、前記第２の通信チャネルを介してデータを伝送するために使用され得るかを示すための第１のビットと、
前記１つ以上の通信リソースのうちの前記第２のものが、前記第２の通信チャネルを介してデータを伝送するために使用され得るかを示すための第２のビットと
を備える、請求項１０に記載の方法。
【請求項１６】
通信ノードであって、
第１の通信チャネルを介して、１つ以上の通信リソースのうちの少なくとも第１のものを使用して、第１の制御信号を伝送するように構成された送信機を備え、
前記第１の制御信号は、第２の通信チャネルを介してデータを伝送するために使用され得る、前記１つ以上の通信リソースのいずれかを示し、
前記第１の制御信号が、前記１つ以上の通信リソースのうちの前記少なくとも第１のものが前記第２の通信チャネルを介してデータを伝送するために使用され得ることを示すことに応答して、前記送信機は、前記第２の通信チャネルを介して、前記１つ以上の通信リソースのうちの前記少なくとも第１のものの少なくとも一部を使用して、前記データを伝送するようにさらに構成されている、通信ノード。
【請求項１７】
前記１つ以上の通信リソースはそれぞれ、制御リソースセットを備える、請求項１６に記載の通信ノード。
【請求項１８】
前記第１の通信チャネルは、物理ダウンリンク制御チャネルを備え、前記第２の通信チャネルは、物理ダウンリンク共有チャネルを備える、請求項１６に記載の通信ノード。
【請求項１９】
前記第１の通信チャネルは、物理アップリンク制御チャネルを備え、前記第２の通信チャネルは、物理アップリンク共有チャネルを備える、請求項１６に記載の通信ノード。
【請求項２０】
前記第１の制御信号は、前記１つ以上の通信リソースのうちの第１のものおよび第２のもののうちの少なくとも１つが、前記第２の通信チャネルを介してデータを伝送するために使用され得ることを示し、
前記送信機は、前記第１の制御信号が、前記１つ以上の通信リソースのうちの前記第１のものおよび前記第２のもののうちの少なくとも１つが前記第２の通信チャネルを介してデータを伝送するために使用され得ることを示すことに応答して、前記第２の通信チャネルを介して、それぞれ、前記１つ以上の通信リソースのうちの前記第１のものおよび前記第２のもののうちの少なくとも１つの少なくとも一部を使用して、前記データを伝送するようにさらに構成されている、請求項１６に記載の通信ノード。
【請求項２１】
前記第１の制御信号は、
前記１つ以上の通信リソースのうちの前記第１のものが、前記第２の通信チャネルを介してデータを伝送するために使用され得るかを示すための第１のビットと、
前記１つ以上の通信リソースのうちの前記第２のものが、前記第２の通信チャネルを介してデータを伝送するために使用され得るかを示すための第２のビットと
を備える、請求項１６に記載の通信ノード。
【請求項２２】
前記送信機はさらに、前記第１または第２の通信チャネルのいずれかを介して、前記１つ以上の通信リソースのうちの第２のものを使用して、第２の制御信号を伝送することであって、前記第２の制御信号は、前記第２の通信チャネルを介してデータを伝送するために使用され得る、前記１つ以上の通信リソースのうちの前記少なくとも第１のものの部分を示す、ことと、前記第１および第２の制御信号に基づいて、前記第２の通信チャネルを介して、前記１つ以上の通信リソースのうちの前記少なくとも第１のものの前記示される部分を使用して、前記データを伝送することとを行うようにさらに構成されている、請求項１６に記載の通信ノード。
【請求項２３】
通信ノードであって、
受信機を備え、前記受信機は、
第１の通信チャネルを介して、１つ以上の通信リソースのうちの少なくとも第１のものを使用して伝送される第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を行うように構成されている、通信ノード。
【請求項２４】
前記１つ以上の通信リソースはそれぞれ、制御リソースセットを備える、請求項２３に記載の通信ノード。
【請求項２５】
前記第１の通信チャネルは、物理ダウンリンク制御チャネルを備え、前記第２の通信チャネルは、物理ダウンリンク共有チャネルを備える、請求項２３に記載の通信ノード。
【請求項２６】
前記第１の通信チャネルは、物理アップリンク制御チャネルを備え、前記第２の通信チャネルは、物理アップリンク共有チャネルを備える、請求項２３に記載の通信ノード。
【請求項２７】
前記第１の制御信号は、前記１つ以上の通信リソースのうちの第１のものおよび第２のもののうちの少なくとも１つが、前記第２の通信チャネルを介してデータを伝送するために使用され得ることを示し、
前記方法は、前記第１の制御信号が、前記１つ以上の通信リソースのうちの前記第１のものおよび前記第２のもののうちの少なくとも１つが前記第２の通信チャネルを介してデータを伝送するために使用され得ることを示すことに応答して、前記第２の通信チャネルを介して、それぞれ、前記１つ以上の通信リソースのうちの前記第１のものおよび前記第２のもののうちの少なくとも１つの少なくとも一部を使用して伝送される前記データを受信することをさらに含む、請求項２３に記載の通信ノード。
【請求項２８】
前記第１の制御信号は、
前記１つ以上の通信リソースのうちの前記第１のものが、前記第２の通信チャネルを介してデータを伝送するために使用され得るかを示すための第１のビットと、
前記１つ以上の通信リソースのうちの前記第２のものが、前記第２の通信チャネルを介してデータを伝送するために使用され得るかを示すための第２のビットと
を備える、請求項２３に記載の通信ノード。
【手続補正２】
【補正対象書類名】明細書
【補正対象項目名】０００９
【補正方法】変更
【補正の内容】
【０００９】
さらに別の実施形態では、通信ノードは、受信機を含み、受信機は、第１の通信チャネルを介して、１つ以上の通信リソースのうちの少なくとも第１のものを使用して伝送される第１の制御信号を受信することであって、第１の制御信号は、第２の通信チャネルを介してデータを伝送するために使用され得る、１つ以上の通信リソースのいずれかを示す、ことと、第１の制御信号が、１つ以上の通信リソースのうちの少なくとも第１のものが第２の通信チャネルを介してデータを伝送するために使用され得ることを示すことに応答して、第２の通信チャネルを介して、１つ以上の通信リソースのうちの少なくとも第１のものの少なくとも一部を使用して伝送されるデータを受信することとを行うように構成される。
本願明細書は、例えば、以下の項目も提供する。
（項目１）
方法であって、
第１の通信チャネルを介して、１つ以上の通信リソースのうちの少なくとも第１のものを使用して、第１の制御信号を伝送することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものがまた、前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して、前記データを伝送することと
を含む、方法。
（項目２）
前記１つ以上の通信リソースはそれぞれ、制御リソースセットを備える、項目１に記載の方法。
（項目３）
前記第１の通信チャネルは、物理ダウンリンク制御チャネルを備え、前記第２の通信チャネルは、物理ダウンリンク共有チャネルを備える、項目１に記載の方法。
（項目４）
前記第１の通信チャネルは、物理アップリンク制御チャネルを備え、前記第２の通信チャネルは、物理アップリンク共有チャネルを備える、項目１に記載の方法。
（項目５）
前記第１の通信チャネルを介して、前記１つ以上の通信リソースのうちの前記少なくとも第１のものまたは前記１つ以上の通信リソースのうちの第２のもののいずれかを使用して、前記第１の制御信号を伝送することと、
前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して、前記データを伝送することと
をさらに含む、項目１に記載の方法。
（項目６）
前記第１の通信チャネルを介して、前記１つ以上の通信リソースのうちの前記少なくとも第１のものまたは前記１つ以上の通信リソースのうちの第３のもののいずれかを使用して、前記第１の制御信号を伝送することと、
前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して、前記データを伝送することと
をさらに含む、項目１に記載の方法。
（項目７）
前記第１または第２の通信チャネルのいずれかを介して、前記１つ以上の通信リソースのうちの第４のものを使用して、第２の制御信号を伝送することであって、前記第２の制御信号は、前記第２の通信チャネルを介してデータを伝送するために使用され得る、前記１つ以上の通信リソースのうちの前記少なくとも第１のものの部分を示す、ことと、
前記第１および第２の制御信号に基づいて、前記第２の通信チャネルを介して、前記１つ以上の通信リソースのうちの前記少なくとも第１のものの前記示される部分を使用して、前記データを伝送することと
をさらに含む、項目１に記載の方法。
（項目８）
受信側ノードの個別の帯域幅、前記１つ以上の通信リソースのそれぞれの指定タイプ、および／または前記１つ以上の通信リソースのそれぞれの伝送モードに基づいて、前記第２の通信チャネルを介して前記データを伝送するために使用され得る、前記１つ以上の通信リソースのいずれかを判定することをさらに含む、項目１に記載の方法。
（項目９）
前記指定タイプは、前記１つ以上の通信リソースのそれぞれがＵＥ特有または共通であるかどうかを備え、前記伝送モードは、前記１つ以上の通信リソースのそれぞれが局所型または分散型であるかどうかを備える、項目８に記載の方法。
（項目１０）
方法であって、
第１の通信チャネルを介して、１つ以上の通信リソースのうちの少なくとも第１のものを使用して伝送される、第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を含む、方法。
（項目１１）
前記１つ以上の通信リソースはそれぞれ、制御リソースセットを備える、項目１０に記載の方法。
（項目１２）
前記第１の通信チャネルは、物理ダウンリンク制御チャネルを備え、前記第２の通信チャネルは、物理ダウンリンク共有チャネルを備える、項目１０に記載の方法。
（項目１３）
前記第１の通信チャネルは、物理アップリンク制御チャネルを備え、前記第２の通信チャネルは、物理アップリンク共有チャネルを備える、項目１０に記載の方法。
（項目１４）
前記第１の通信チャネルを介して、前記１つ以上の通信リソースのうちの前記少なくとも第１のものまたは前記１つ以上の通信リソースのうちの第２のもののいずれかを使用して伝送される、前記第１の制御信号を受信することと、
前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して伝送される前記データを受信することと
をさらに含む、項目１０に記載の方法。
（項目１５）
前記第１の通信チャネルを介して、前記１つ以上の通信リソースのうちの前記少なくとも第１のものまたは前記１つ以上の通信リソースのうちの第３のもののいずれかを使用して伝送される前記第１の制御信号を受信することと、
前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して伝送される前記データを受信することと
をさらに含む、項目１０に記載の方法。
（項目１６）
通信ノードであって、
第１の通信チャネルを介して、１つ以上の通信リソースのうちの少なくとも第１のものを使用して、第１の制御信号を伝送するように構成された送信機を備え、
前記第１の制御信号は、第２の通信チャネルを介してデータを伝送するために使用され得る、前記１つ以上の通信リソースのいずれかを示し、
前記第１の制御信号が、前記１つ以上の通信リソースのうちの前記少なくとも第１のものが前記第２の通信チャネルを介してデータを伝送するために使用され得ることを示すことに応答して、前記送信機は、前記第２の通信チャネルを介して、前記１つ以上の通信リソースのうちの前記少なくとも第１のものの少なくとも一部を使用して、前記データを伝送するようにさらに構成されている、通信ノード。
（項目１７）
前記１つ以上の通信リソースはそれぞれ、制御リソースセットを備える、項目１６に記載の通信ノード。
（項目１８）
前記第１の通信チャネルは、物理ダウンリンク制御チャネルを備え、前記第２の通信チャネルは、物理ダウンリンク共有チャネルを備える、項目１６に記載の通信ノード。
（項目１９）
前記第１の通信チャネルは、物理アップリンク制御チャネルを備え、前記第２の通信チャネルは、物理アップリンク共有チャネルを備える、項目１６に記載の通信ノード。
（項目２０）
前記送信機はさらに、前記第１の通信チャネルを介して、前記１つ以上の通信リソースのうちの前記少なくとも第１のものまたは前記１つ以上の通信リソースのうちの第２のもののいずれかを使用して、前記第１の制御信号を伝送するように構成され、前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記送信機は、前記第２の通信チャネルを介して、それぞれ、前記１つ以上の通信リソースのうちの前記少なくとも第１のものおよび前記第２のものの少なくとも一部を使用して、前記データを伝送するようにさらに構成されている、項目１６に記載の通信ノード。
（項目２１）
前記送信機はさらに、前記第１の通信チャネルを介して、前記１つ以上の通信リソースのうちの前記少なくとも第１のものまたは前記１つ以上の通信リソースのうちの第３のもののいずれかを使用して、前記第１の制御信号を伝送するように構成され、前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記送信機は、前記第２の通信チャネルを介して、前記１つ以上の通信リソースのうちの前記少なくとも第１のものおよび前記第３のもののうちの１つの少なくとも一部を使用して、前記データを伝送するようにさらに構成されている、項目１６に記載の通信ノード。
（項目２２）
前記送信機はさらに、前記第１または第２の通信チャネルのいずれかを介して、前記１つ以上の通信リソースのうちの第４のものを使用して、第２の制御信号を伝送するように構成され、前記第２の制御信号は、前記第２の通信チャネルを介してデータを伝送するために使用され得る、前記１つ以上の通信リソースのうちの前記少なくとも第１のものの部分を示し、前記送信機は、前記第１および第２の制御信号に基づいて、前記第２の通信チャネルを介して、前記１つ以上の通信リソースのうちの前記少なくとも第１のものの前記示される部分を使用して、前記データを伝送するようにさらに構成されている、項目１６に記載の通信ノード。
（項目２３）
通信ノードであって、
受信機を備え、前記受信機は、
第１の通信チャネルを介して、１つ以上の通信リソースのうちの少なくとも第１のものを使用して伝送される第１の制御信号を受信することであって、前記第１の制御信号は、第２の通信チャネルを介してデータを伝送するために使用され得る、前記１つ以上の通信リソースのいずれかを示す、ことと、
前記第１の制御信号が、前記１つ以上の通信リソースのうちの前記少なくとも第１のものが前記第２の通信チャネルを介してデータを伝送するために使用され得ることを示すことに応答して、前記第２の通信チャネルを介して、前記１つ以上の通信リソースのうちの前記少なくとも第１のものの少なくとも一部を使用して伝送される、前記データを受信することと
を行うように構成されている、通信ノード。
（項目２４）
前記１つ以上の通信リソースはそれぞれ、制御リソースセットを備える、項目２３に記載の通信ノード。
（項目２５）
前記第１の通信チャネルは、物理ダウンリンク制御チャネルを備え、前記第２の通信チャネルは、物理ダウンリンク共有チャネルを備える、項目２３に記載の通信ノード。
（項目２６）
前記第１の通信チャネルは、物理アップリンク制御チャネルを備え、前記第２の通信チャネルは、物理アップリンク共有チャネルを備える、項目２３に記載の通信ノード。
（項目２７）
前記受信機はさらに、前記第１の通信チャネルを介して、前記１つ以上の通信リソースのうちの前記少なくとも第１のものまたは前記１つ以上の通信リソースのうちの第２のもののいずれかを使用して伝送される前記第１の制御信号を受信することと、前記第１の制御信号が、前記１つ以上の通信リソースのうちの前記少なくとも第１のものおよび前記第２のものが両方とも前記第２の通信チャネルを介してデータを伝送するために使用され得ることを示すことに応答して、前記第２の通信チャネルを介して、それぞれ、前記１つ以上の通信リソースのうちの前記少なくとも第１のものおよび前記第２のものの少なくとも一部を使用して伝送される前記データを受信することとを行うように構成されている、項目２３に記載の通信ノード。
（項目２８）
前記受信機はさらに、前記第１の通信チャネルを介して、前記１つ以上の通信リソースのうちの前記少なくとも第１のものまたは前記１つ以上の通信リソースのうちの第３のもののいずれかを使用して伝送される前記第１の制御信号を受信することと、前記第１の制御信号が、前記１つ以上の通信リソースのうちの前記少なくとも第１のものまたは前記第３のもののいずれかが前記第２の通信チャネルを介してデータを伝送するために使用され得ることを示すことに応答して、前記第２の通信チャネルを介して、前記１つ以上の通信リソースのうちの前記少なくとも第１のものおよび前記第３のもののうちの１つの少なくとも一部を使用して伝送される前記データを受信することとを行うように構成されている、項目２３に記載の通信ノード。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
方法であって、
第１の通信チャネルを介して、１つ以上の通信リソースのうちの少なくとも第１のもの
を使用して、第１の制御信号を伝送することであって、前記第１の制御信号は、第２の通
信チャネルを介してデータを伝送するために使用され得る、前記１つ以上の通信リソース
のいずれかを示す、ことと、
前記第１の制御信号が、前記１つ以上の通信リソースのうちの前記少なくとも第１のも
のがまた、前記第２の通信チャネルを介してデータを伝送するために使用され得ることを
示すことに応答して、前記第２の通信チャネルを介して、前記１つ以上の通信リソースの
うちの前記少なくとも第１のものの少なくとも一部を使用して、前記データを伝送するこ
とと
を含み、
前記１つ以上の通信リソースはそれぞれ、制御リソースセット（ＣＯＲＥＳＥＴ）を備え、前記ＣＯＲＥＳＥＴは、ダウンリンク制御情報（ＤＣＩ）を伝送するために使用されるリソースブロックのサブセットを備え、ユーザ機器（ＵＥ）が、前記ＤＣＩ内に含有される情報を読み出すために前記ＤＣＩをデコードするように試みる、方法。
【請求項２】
前記第１の通信チャネルは、物理ダウンリンク制御チャネルを備え、前記第２の通信チ
ャネルは、物理ダウンリンク共有チャネルを備える、請求項１に記載の方法。
【請求項３】
前記第１の通信チャネルは、物理アップリンク制御チャネルを備え、前記第２の通信チ
ャネルは、物理アップリンク共有チャネルを備える、請求項１に記載の方法。
【請求項４】
前記第１の制御信号は、前記１つ以上の通信リソースのうちの前記第１のものおよび第２のもののうちの少なくとも１つが、前記第２の通信チャネルを介してデータを伝送するために使用され得ることを示し、
前記方法は、前記第１の制御信号が、前記１つ以上の通信リソースのうちの前記第１の
ものおよび前記第２のもののうちの少なくとも１つが前記第２の通信チャネルを介してデ
ータを伝送するために使用され得ることを示すことに応答して、前記第２の通信チャネル
を介して、それぞれ、前記１つ以上の通信リソースのうちの前記第１のものおよび前記第
２のもののうちの少なくとも１つの少なくとも一部を使用して、前記データを伝送するこ
とをさらに含む、請求項１に記載の方法。
【請求項５】
前記第１の制御信号は、
前記１つ以上の通信リソースのうちの前記第１のものが、前記第２の通信チャネルを介
してデータを伝送するために使用され得るかを示すための第１のビットと、
前記１つ以上の通信リソースのうちの前記第２のものが、前記第２の通信チャネルを介
してデータを伝送するために使用され得るかを示すための第２のビットと
を備える、請求項１に記載の方法。
【請求項６】
前記第１または第２の通信チャネルのいずれかを介して、前記１つ以上の通信リソース
のうちの第２のものを使用して、第２の制御信号を伝送することであって、前記第２の制
御信号は、前記第２の通信チャネルを介してデータを伝送するために使用され得る、前記
１つ以上の通信リソースのうちの前記少なくとも第１のものの部分を示す、ことと、
前記第１および第２の制御信号に基づいて、前記第２の通信チャネルを介して、前記１
つ以上の通信リソースのうちの前記少なくとも第１のものの前記示される部分を使用して
、前記データを伝送することと
をさらに含む、請求項１に記載の方法。
【請求項７】
受信側ノードの個別の帯域幅に基づいて、前記第２の通信チャネルを介して前記データ
を伝送するために使用され得る、前記１つ以上の通信リソースのいずれかを判定すること
をさらに含む、請求項１に記載の方法。
【請求項８】
前記指定タイプは、前記１つ以上の通信リソースのそれぞれがＵＥ特有または共通であ
るかどうかを備え、前記伝送モードは、前記１つ以上の通信リソースのそれぞれが局所型
または分散型であるかどうかを備える、請求項７に記載の方法。
【請求項９】
方法であって、
第１の通信チャネルを介して、１つ以上の通信リソースのうちの少なくとも第１のもの
を使用して伝送される、第１の制御信号を受信することであって、前記第１の制御信号は
、第２の通信チャネルを介してデータを伝送するために使用され得る、前記１つ以上の通
信リソースのいずれかを示す、ことと、
前記第１の制御信号が、前記１つ以上の通信リソースのうちの前記少なくとも第１のも
のが前記第２の通信チャネルを介してデータを伝送するために使用され得ることを示すこ
とに応答して、前記第２の通信チャネルを介して、前記１つ以上の通信リソースのうちの
前記少なくとも第１のものの少なくとも一部を使用して伝送される、前記データを受信す
ることと
を含み、
前記１つ以上の通信リソースはそれぞれ、制御リソースセット（ＣＯＲＥＳＥＴ）を備え、前記ＣＯＲＥＳＥＴは、ダウンリンク制御情報（ＤＣＩ）を伝送するために使用されるリソースブロックのサブセットを備え、ユーザ機器（ＵＥ）が、前記ＤＣＩ内に含有される情報を読み出すために前記ＤＣＩをデコードするように試みる、方法。
【請求項１０】
前記第１の通信チャネルは、物理ダウンリンク制御チャネルを備え、前記第２の通信チ
ャネルは、物理ダウンリンク共有チャネルを備える、請求項９に記載の方法。
【請求項１１】
前記第１の通信チャネルは、物理アップリンク制御チャネルを備え、前記第２の通信チ
ャネルは、物理アップリンク共有チャネルを備える、請求項９に記載の方法。
【請求項１２】
前記第１の制御信号は、前記１つ以上の通信リソースのうちの前記第１のものおよび第２のもののうちの少なくとも１つが、前記第２の通信チャネルを介してデータを伝送するために使用され得ることを示し、
前記方法は、前記第１の制御信号が、前記１つ以上の通信リソースのうちの前記第１の
ものおよび前記第２のもののうちの少なくとも１つが前記第２の通信チャネルを介してデ
ータを伝送するために使用され得ることを示すことに応答して、前記第２の通信チャネル
を介して、それぞれ、前記１つ以上の通信リソースのうちの前記第１のものおよび前記第
２のもののうちの少なくとも１つの少なくとも一部を使用して伝送される前記データを受
信することをさらに含む、請求項９に記載の方法。
【請求項１３】
前記第１の制御信号は、
前記１つ以上の通信リソースのうちの前記第１のものが、前記第２の通信チャネルを介
してデータを伝送するために使用され得るかを示すための第１のビットと、
前記１つ以上の通信リソースのうちの前記第２のものが、前記第２の通信チャネルを介
してデータを伝送するために使用され得るかを示すための第２のビットと
を備える、請求項９に記載の方法。
【請求項１４】
通信ノードであって、
第１の通信チャネルを介して、１つ以上の通信リソースのうちの少なくとも第１のもの
を使用して、第１の制御信号を伝送するように構成された送信機を備え、
前記第１の制御信号は、第２の通信チャネルを介してデータを伝送するために使用され
得る、前記１つ以上の通信リソースのいずれかを示し、
前記第１の制御信号が、前記１つ以上の通信リソースのうちの前記少なくとも第１のも
のが前記第２の通信チャネルを介してデータを伝送するために使用され得ることを示すこ
とに応答して、前記送信機は、前記第２の通信チャネルを介して、前記１つ以上の通信リ
ソースのうちの前記少なくとも第１のものの少なくとも一部を使用して、前記データを伝
送するようにさらに構成され、前記１つ以上の通信リソースはそれぞれ、制御リソースセット（ＣＯＲＥＳＥＴ）を備え、前記ＣＯＲＥＳＥＴは、ダウンリンク制御情報（ＤＣＩ）を伝送するために使用されるリソースブロックのサブセットを備え、ユーザ機器（ＵＥ）が、前記ＤＣＩ内に含有される情報を読み出すために前記ＤＣＩをデコードするように試みる、通信ノード。
【請求項１５】
前記第１の通信チャネルは、物理ダウンリンク制御チャネルを備え、前記第２の通信チ
ャネルは、物理ダウンリンク共有チャネルを備える、請求項１４に記載の通信ノード。
【請求項１６】
前記第１の通信チャネルは、物理アップリンク制御チャネルを備え、前記第２の通信チ
ャネルは、物理アップリンク共有チャネルを備える、請求項１４に記載の通信ノード。
【請求項１７】
前記第１の制御信号は、前記１つ以上の通信リソースのうちの前記第１のものおよび第２のもののうちの少なくとも１つが、前記第２の通信チャネルを介してデータを伝送するために使用され得ることを示し、
前記送信機は、前記第１の制御信号が、前記１つ以上の通信リソースのうちの前記第１
のものおよび前記第２のもののうちの少なくとも１つが前記第２の通信チャネルを介して
データを伝送するために使用され得ることを示すことに応答して、前記第２の通信チャネ
ルを介して、それぞれ、前記１つ以上の通信リソースのうちの前記第１のものおよび前記
第２のもののうちの少なくとも１つの少なくとも一部を使用して、前記データを伝送する
ようにさらに構成されている、請求項１４に記載の通信ノード。
【請求項１８】
前記第１の制御信号は、
前記１つ以上の通信リソースのうちの前記第１のものが、前記第２の通信チャネルを介
してデータを伝送するために使用され得るかを示すための第１のビットと、
前記１つ以上の通信リソースのうちの前記第２のものが、前記第２の通信チャネルを介
してデータを伝送するために使用され得るかを示すための第２のビットと
を備える、請求項１４に記載の通信ノード。
【請求項１９】
前記送信機はさらに、前記第１または第２の通信チャネルのいずれかを介して、前記１
つ以上の通信リソースのうちの第２のものを使用して、第２の制御信号を伝送することで
あって、前記第２の制御信号は、前記第２の通信チャネルを介してデータを伝送するため
に使用され得る、前記１つ以上の通信リソースのうちの前記少なくとも第１のものの部分
を示す、ことと、前記第１および第２の制御信号に基づいて、前記第２の通信チャネルを
介して、前記１つ以上の通信リソースのうちの前記少なくとも第１のものの前記示される
部分を使用して、前記データを伝送することとを行うようにさらに構成されている、請求
項１４に記載の通信ノード。
【請求項２０】
通信ノードであって、
受信機を備え、前記受信機は、
第１の通信チャネルを介して、１つ以上の通信リソースのうちの少なくとも第１のもの
を使用して伝送される第１の制御信号を受信することであって、前記第１の制御信号は、
第２の通信チャネルを介してデータを伝送するために使用され得る、前記１つ以上の通信
リソースのいずれかを示す、ことと、
前記第１の制御信号が、前記１つ以上の通信リソースのうちの前記少なくとも第１のも
のが前記第２の通信チャネルを介してデータを伝送するために使用され得ることを示すこ
とに応答して、前記第２の通信チャネルを介して、前記１つ以上の通信リソースのうちの
前記少なくとも第１のものの少なくとも一部を使用して伝送される、前記データを受信す
ることと
を行うように構成され、
前記１つ以上の通信リソースはそれぞれ、制御リソースセット（ＣＯＲＥＳＥＴ）を備え、前記ＣＯＲＥＳＥＴは、ダウンリンク制御情報（ＤＣＩ）を伝送するために使用されるリソースブロックのサブセットを備え、ユーザ機器（ＵＥ）が、前記ＤＣＩ内に含有される情報を読み出すために前記ＤＣＩをデコードするように試みる、通信ノード。
【請求項２１】
前記第１の通信チャネルは、物理ダウンリンク制御チャネルを備え、前記第２の通信チ
ャネルは、物理ダウンリンク共有チャネルを備える、請求項２０に記載の通信ノード。
【請求項２２】
前記第１の通信チャネルは、物理アップリンク制御チャネルを備え、前記第２の通信チ
ャネルは、物理アップリンク共有チャネルを備える、請求項２０に記載の通信ノード。
【請求項２３】
前記第１の制御信号は、前記１つ以上の通信リソースのうちの前記第１のものおよび第２のもののうちの少なくとも１つが、前記第２の通信チャネルを介してデータを伝送するために使用され得ることを示し、
前記受信機は、前記第１の制御信号が、前記１つ以上の通信リソースのうちの前記第１のものおよび前記第２のもののうちの少なくとも１つが前記第２の通信チャネルを介してデータを伝送するために使用され得ることを示すことに応答して、前記第２の通信チャネルを介して、それぞれ、前記１つ以上の通信リソースのうちの前記第１のものおよび前記第２のもののうちの少なくとも１つの少なくとも一部を使用して伝送される前記データを受信するようにさらに構成されている、請求項２０に記載の通信ノード。
【請求項２４】
前記第１の制御信号は、
前記１つ以上の通信リソースのうちの前記第１のものが、前記第２の通信チャネルを介
してデータを伝送するために使用され得るかを示すための第１のビットと、
前記１つ以上の通信リソースのうちの前記第２のものが、前記第２の通信チャネルを介
してデータを伝送するために使用され得るかを示すための第２のビットと
を備える、請求項２０に記載の通信ノード。
【国際調査報告】
2020523804.tif 000010
2020523804.tif 000011